(57)【要約】  引用部分抽出装置２は、入力装置１が入力した入力文書データから引用部分を抽出する。関連文書決定装置３は、入力装置１が入力した文書データおよび引用部分抽出装置２が抽出した引用部分に基づいて、関連文書および関連文書中の引用部分と同一または類似する表記部分を決定する。補足情報抽出装置４は、引用部分抽出装置２が抽出した引用部分と関連文書決定装置３が決定した関連文書データとを比較し、関連文書中の引用部分と類似または同一の表記部分を修飾する表現を補足情報として抽出する。表示装置５は、補足情報を表示する。
2008126862.tif 000002
【特許請求の範囲】
【請求項１】
文書データにおける引用部分に基づいて、他の文書データから前記引用部分を示す表現を修飾する表現を抽出し、抽出した表現を示す情報を生成する情報生成手段と、  前記情報生成手段が生成した情報を表示する表示手段と  を備えたことを特徴とする情報提供システム。
【請求項２】
前記他の文書データとして、引用部分と同一または類似の表現を含む関連文書データを決定する関連文書決定手段を備え、  前記情報生成手段は、前記関連文書決定手段が決定した関連文書データから、前記引用部分と同一または類似の表現を修飾する表現を抽出する  請求項１記載の情報提供システム。
【請求項３】
文書データにおける引用部分を抽出する引用部分抽出手段を備えた請求項１または請求項２記載の情報提供システム。
【請求項４】
前記情報生成手段は、前記抽出した表現を示す情報として、抽出した表現を含む補足情報、補足情報の有無を示す情報または抽出した表現の内容の一部もしくは特徴を示す代替情報を生成する請求項１から請求項３のうちのいずれか１項に記載の情報提供システム。
【請求項５】
前記情報生成手段は、前記引用部分を示す表現を修飾する表現を、限定的な表現に基づいて抽出する限定表現抽出手段を含む請求項１から請求項４のうちのいずれか１項に記載の情報提供システム。
【請求項６】
前記情報生成手段は、前記引用部分を示す表現を修飾する表現を、文脈に基づいて抽出する文脈解析手段を含む請求項１から請求項５のうちのいずれか１項に記載の情報提供システム。
【請求項７】
文書データにおける引用部分に基づいて、他の文書データから前記引用部分を示す表現を修飾する表現を抽出し、抽出した表現を示す情報を生成する情報生成ステップと、  前記情報生成ステップで生成した情報を表示する表示ステップと  を含むことを特徴とする情報提供方法。
【請求項８】
前記他の文書データとして、引用部分と同一または類似の表現を含む関連文書データを決定する関連文書決定ステップを含み、  前記情報生成ステップで、前記関連文書決定ステップで決定した関連文書データから、前記引用部分と同一または類似の表現を修飾する表現を抽出する  請求項７記載の情報提供方法。
【請求項９】
文書データにおける引用部分を抽出する引用部分抽出ステップを含む請求項７または請求項８記載の情報提供方法。
【請求項１０】
前記情報生成ステップで、前記抽出した表現を示す情報として、抽出した表現を含む補足情報、補足情報の有無を示す情報または抽出した表現の内容の一部もしくは特徴を示す代替情報を生成する請求項７から請求項９のうちのいずれか１項に記載の情報提供方法。
【請求項１１】
前記情報生成ステップで、前記引用部分を示す表現を修飾する表現を、限定的な表現に基づいて抽出する請求項７から請求項１０のうちのいずれか１項に記載の情報提供方法。
【請求項１２】
前記情報生成ステップで、前記引用部分を示す表現を修飾する表現を、文脈に基づいて抽出する請求項７から請求項１１のうちのいずれか１項に記載の情報提供方法。
【請求項１３】
コンピュータに、  文書データにおける引用部分に基づいて、他の文書データから前記引用部分を示す表現を修飾する表現を抽出し、抽出した表現を示す情報を生成する情報生成処理と、  前記情報生成処理で生成した情報を表示する表示処理と  を実行させるための情報提供プログラム。
【請求項１４】
前記コンピュータに、  前記他の文書データとして、引用部分と同一または類似の表現を含む関連文書データを決定する関連文書決定処理を実行させ、  前記情報生成処理で、前記関連文書決定処理で決定した関連文書データから、前記引用部分と同一または類似の表現を修飾する表現を抽出する処理を実行させる  請求項１３記載の情報提供プログラム。
【請求項１５】
前記コンピュータに、  文書データにおける引用部分を抽出する引用部分抽出処理を実行させる  請求項１３または請求項１４記載の情報提供プログラム。
【請求項１６】
前記コンピュータに、  前記情報生成処理で、前記抽出した表現を示す情報として、抽出した表現を含む補足情報、補足情報の有無を示す情報または抽出した表現の内容の一部もしくは特徴を示す代替情報を生成する処理を実行させる  請求項１３から請求項１５のうちのいずれか１項に記載の情報提供プログラム。
【請求項１７】
前記コンピュータに、  前記情報生成処理で、前記引用部分を示す表現を修飾する表現を、限定的な表現に基づいて抽出する限定表現抽出処理を実行させる  請求項１３から請求項１６のうちのいずれか１項に記載の情報提供プログラム。
【請求項１８】
前記コンピュータに、  前記情報生成処理で、前記引用部分を示す表現を修飾する表現を、文脈に基づいて抽出する文脈解析処理を実行させる  請求項１３から請求項１７のうちのいずれか１項に記載の情報提供プログラム。
【発明の詳細な説明】
【技術分野】
【０００１】［関連出願の記載］  本発明は、日本国特許出願：特願２００７−１０２８９５号（２００７年４月１０日出願）の優先権主張に基づくものであり、同出願の全記載内容は引用をもって本書に組み込み記載されているものとする。  本発明は、情報提供システム、情報提供方法および情報提供プログラムに関し、特に引用された情報について補足情報を表示できる情報提供システム、情報提供方法および情報提供プログラムに関する。
【背景技術】
【０００２】  電子化文書（以下、単に文書とも表記する。）には、ＨＴＭＬ文書のタグなどにより明示的に示された引用文（引用部分）や、例えば、「首相は、『景気は回復している』と発言した」という文章における『景気は回復している』の部分のように文章上の表現で示された引用部分が含まれている。引用部分は、文章の発信者によって、出典である引用元の文章から選択・編集された文章である。そのため、引用部分を読んだ読み手は、引用部分を引用元と異なる内容として理解してしまう可能性がある。例えば、引用元の文章に記述されていた引用部分が成立するための限定条件や、引用部分を補うデータが不足している場合や、引用元の前後の文章に引用部分と関係する内容が存在することにより引用部分だけから読み取れる意味が引用元の文章とは異なる意味を持つ場合がある。【０００３】  以下、引用部分が成立するための限定条件、参考データ、引用部分への修飾表現が示す情報であって、引用部分を正しく理解するための情報を、引用部分の補足情報と表記する。【０００４】  引用元文書に存在する補足情報を確認する方法として、一般的に、引用元文書がＷｅｂ上の文書であってリンクが張られている場合には、リンク先の情報を別のブラウザで開いて確認する方法がある。しかし、引用元が明示されている必要があり、明示されていない場合は検索サイトで引用部分を検索するなどの手段をとる必要がある。また、リンク先に実際に引用部分の文章があるかどうか、文章を読んで確認するまで判断できない。【０００５】  また、引用部分はトピックとして取り上げるべき内容を含んでいると考えられるため、引用元や現在参照している文書以外の文書によっても引用されている可能性が高く、そのような文書にも補足情報が記述されている場合がある。以下、引用部分を含むある文書に対して、引用部分の引用元文書、および同じ部分について引用を行っているその他の文書を、あわせて関連文書と呼ぶことにする。また、引用部分について、引用元文書の表記と同一または類似の表記を含む文書を、関連文書に含めるものとする。関連文書の補足情報を取得するためには、例えば、多数の文書から引用部分の文字列を検索し、文字列が見つかった関連文書について内容を確認して補足情報を探す必要がある。【０００６】  特許文献１には、従来の情報提供システムの一例が電子化文書の参照関係表示装置として記載されている。特許文献１には、電子化文書を用いてなされる議論について、被参照文書の引用箇所終端にボタンを配置し、ボタンが操作されたときに参照文書中の引用箇所以降の部分を被参照文書中に階層的に挿入し、表示する方法が記載されている。【０００７】  特許文献１に記載された方法を、被参照文書と参照文書との関係だけではなく、引用部分と引用元および関連文書との関係に対して適用すると、ボタンの有無により参照先の有無がわかるようになる。そのため、ボタンがある場合には、引用元を検索する必要がなくなり、実際に引用箇所以降の文章があることを保証することができる。しかし、特許文献１の技術を用いて階層的に挿入された文章の中に、引用部分に関連した情報があるかどうかは、挿入された文章を読んでみないとわからない。また、挿入された文章以外に引用部分の補足情報が存在するかどうかは、さらに引用元文書をすべて読まないと判断できず、多くの労力を要する。【０００８】  一方、引用部分の抽出として、ＨＴＭＬ文書においては、Ｗｅｂブラウザが引用部分の見た目を設定することを目的として、引用を示すblockquote要素およびq 要素を抽出することが一般的に行われている。また、特許文献１には、メール文書に対して、引用を示す行頭の記号を利用して引用部分の抽出を行うことが記載されている。【０００９】
【特許文献１】特開２０００−１１２９８０号公報
【発明の開示】
【発明が解決しようとする課題】
【００１０】  以上の特許文献１の開示事項は、本書に引用をもって繰り込み記載されているものとする。以下に本発明による関連技術の分析を与える。  文章の引用部分に対して、関連文書の引用部分以降の文章を階層的に挿入し、表示する技術には、次のような問題点がある。【００１１】  第１の問題点は、引用部分に対して、引用部分あるいは引用部分に類似した表記部分の補足情報が、関連文書（引用元文書を含む）中に存在するか確実に調べるためには、関係の無い文章を読んで関連文書の内容を確認する必要があるということである。その理由は、引用部分についての補足情報が、必ずしも引用部分以降の近傍にあるとは限らないためである。また、単純に引用部分以降の文章を一定量挿入する方法では、挿入される文章がすべて引用部分に関係する補足情報とも限らないため、補足情報ではない文章、つまり引用部分と関係のない情報まで読む必要が生じる場合がある。【００１２】  第２の問題点は、関連文書の表示により閲覧が妨げられるということである。その理由は、引用元の情報をすべて表示すると、現在参照中の文章の表示が妨げられ、閲覧や操作が難しくなるためである。【００１３】  そこで、本発明は、関連文書に含まれる引用部分に対する補足情報のみを提示し、不要な情報を読まなくても補足情報が得られ、閲覧を妨げない適切な量の情報を提示することができる情報提供システム、情報提供方法および情報提供プログラムを提供することを目的とする。
【課題を解決するための手段】
【００１４】  本発明の第１の視点によれば、文書データ（例えば、入力文書データ）における引用部分に基づいて、他の文書データ（例えば、関連文書データ）から引用部分を示す表現を修飾する表現を抽出し、抽出した表現を示す情報を生成する情報生成手段（例えば、補足情報生成装置４）と、情報生成手段が生成した情報を表示する表示手段とを備える情報提供システムが提供される。【００１５】  他の文書データとして、引用部分と同一または類似の表現を含む関連文書データを決定する関連文書決定手段を備え、情報生成手段は、関連文書決定手段が決定した関連文書データから、引用部分と同一または類似の表現を修飾する表現を抽出することが望ましい。そのような構成によれば、引用部分と同一または類似の表現を対象として、修飾する表現を抽出することができる。【００１６】  文書データにおける引用部分を抽出する引用部分抽出手段を備えることが望ましい。そのような構成によれば、自動的に引用部分を抽出することができる。【００１７】  情報生成手段は、抽出した表現を示す情報として、抽出した表現を含む補足情報、補足情報の有無を示す情報または抽出した表現の内容の一部もしくは特徴を示す代替情報を生成してもよい。そのような構成によれば、適切な情報を適切に表示することができる。【００１８】  情報生成手段は、引用部分を示す表現を修飾する表現を、限定的な表現に基づいて抽出する限定表現抽出手段を含んでもよい。そのような構成によれば、適切な情報を適切に表示することができる。【００１９】  情報生成手段は、引用部分を示す表現を修飾する表現を、文脈に基づいて抽出する文脈解析手段を含んでもよい。そのような構成によれば、適切な情報を適切に表示することができる。【００２０】  本発明の第２の視点によれば、文書データにおける引用部分に基づいて、他の文書データから引用部分を示す表現を修飾する表現を抽出し、抽出した表現を示す情報を生成する情報生成ステップと、情報生成ステップで生成した情報を表示する表示ステップとを含む情報提供方法が提供される。【００２１】  他の文書データとして、引用部分と同一または類似の表現を含む関連文書データを決定する関連文書決定ステップを含み、情報生成ステップで、関連文書決定ステップで決定した関連文書データから、引用部分と同一または類似の表現を修飾する表現を抽出することが望ましい。そのような構成によれば、引用部分と同一または類似の表現を対象として、修飾する表現を抽出することができる。【００２２】  文書データにおける引用部分を抽出する引用部分抽出ステップを含むことが望ましい。そのような構成によれば、自動的に引用部分を抽出することができる。【００２３】  情報生成ステップで、抽出した表現を示す情報として、抽出した表現を含む補足情報、補足情報の有無を示す情報または抽出した表現の内容の一部もしくは特徴を示す代替情報を生成してもよい。そのような構成によれば、適切な情報を適切に表示することができる。【００２４】  情報生成ステップで、引用部分を示す表現を修飾する表現を限定的な表現に基づいて抽出してもよい。そのような構成によれば、適切な情報を適切に表示することができる。【００２５】  情報生成ステップで、引用部分を示す表現を修飾する表現を文脈に基づいて抽出してもよい。そのような構成によれば、適切な情報を適切に表示することができる。【００２６】  本発明の第３の視点によれば、コンピュータに、文書データにおける引用部分に基づいて、他の文書データから引用部分を示す表現を修飾する表現を抽出し、抽出した表現を示す情報を生成する情報生成処理と、情報生成処理で生成した情報を表示する表示処理とを実行させる情報提供プログラム及びこの情報提供プログラムを格納した記録媒体が提供される。【００２７】  コンピュータに、他の文書データとして、引用部分と同一または類似の表現を含む関連文書データを決定する関連文書決定処理を実行させ、情報生成処理で、関連文書決定処理で決定した関連文書データから、引用部分と同一または類似の表現を修飾する表現を抽出する処理を実行させることが望ましい。そのような構成によれば、引用部分と同一または類似の表現を対象として、修飾する表現を抽出することができる。【００２８】  コンピュータに、文書データにおける引用部分を抽出する引用部分抽出処理を実行させることが望ましい。そのような構成によれば、自動的に引用部分を抽出することができる。【００２９】  コンピュータに、情報生成処理で、抽出した表現を示す情報として、抽出した表現を含む補足情報、補足情報の有無を示す情報または抽出した表現の内容の一部または特徴を示す代替情報を生成する処理を実行させてもよい。そのような構成によれば、適切な情報を適切に表示することができる。【００３０】  コンピュータに、情報生成処理で、引用部分を示す表現を修飾する表現を限定的な表現に基づいて抽出する限定表現抽出処理を実行させてもよい。そのような構成によれば、適切な情報を適切に表示することができる。【００３１】  コンピュータに、情報生成処理で、引用部分を示す表現を修飾する表現を文脈に基づいて抽出する文脈解析処理を実行させてもよい。そのような構成によれば、適切な情報を適切に表示することができる。
【発明の効果】
【００３２】  本発明によれば、不要な情報を読むことなく引用部分に対する補足情報を確認することができる。その理由は、補足情報生成手段が実際に修飾している表現から補足情報を生成するためである。
【図面の簡単な説明】
【００３３】
【図１】本発明による情報提供システムの第１の実施の形態の構成例を示すブロック図である。
【図２】第１の実施の形態における情報提供システムの動作の例を示すフローチャートである。
【図３】引用表現の例を示す説明図である。
【図４】引用元指定表現の例を示す説明図である。
【図５】本発明による情報提供システムの第２の実施の形態の構成例を示すブロック図である。
【図６】限定表現の例を示す説明図である。
【図７】第２の実施の形態における情報提供システムの動作の例を示すフローチャートである。
【図８】本発明による情報提供システムの第３の実施の形態の構成例を示すブロック図である。
【図９】第３の実施の形態における情報提供システムの動作の例を示すフローチャートである。
【図１０】第１の実施例の情報提供システムの構成例を示すブロック図である。
【図１１】入力文書データとして入力したＷｅｂページの例を示す説明図である。
【図１２】引用元文書として決定されたＷｅｂページの例を示す説明図である。
【図１３】関連文書として決定されたＷｅｂページの例を示す説明図である。
【図１４】第２の実施例の情報提供システムの構成例を示すブロック図である。
【図１５】第２の実施例における情報提供システムの動作の例について説明するための説明図である。
【図１６】表示画面の例を示す説明図である。
【符号の説明】
【００３４】  １      入力装置  ２      引用部分抽出装置  ３      関連文書決定装置  ４      補足情報生成装置  ４１    限定情報抽出手段  ４２    文脈解析手段  ５      表示装置  １００  ネットワーク制御装置  ２００  パーソナルコンピュータ  ３００  ディスプレイ装置  ４００  インターネット  ６００  音声収録装置  ６０１  マイクロフォン  ６０２  音声認識装置  ６０３  発言データベース
【発明を実施するための最良の形態】
【００３５】［本発明の好ましい一態様］  本発明による情報提供システムの好ましい一態様は、例えば、入力文書から引用部分を抽出する引用部分抽出手段と、引用部分の関連文書を決定する関連文書決定手段と、引用部分抽出手段が抽出した引用部分と、関連文書決定手段により決定した関連文書から補足情報を生成する補足情報生成手段とを備え、引用部分に含まれない関連文書の情報で、引用部分と類似または同一の表記部分への修飾表現による情報を補足情報として提供するよう動作する。このような構成を採用し、補足情報のみを提供することにより本発明の目的を達成することができる。  つまり、引用部分抽出手段が文章から引用部分を抽出し、関連文書決定手段が引用部分が含まれている関連文書を決定し、補足情報生成手段が関連文書中の引用部分と類似または同一の表現を修飾している表現から補足情報を生成するため、無関係な文書を対象とすることなく、引用部分と同一または類似の表現を対象として、修飾する表現を抽出することもできる。また、自動的に引用部分を抽出することも可能となる。さらに、補足情報生成手段が文章全体ではなく引用部分に対する修飾表現のみからなる補足情報を生成するようにすれば、補足情報の表示により参照中の文書の閲覧が妨げられないようにすることもできる。【００３６】実施の形態１．  以下、本発明の第１の実施の形態を図面を参照して説明する。図１は、本発明による情報提供システムの第１の実施の形態の構成例を示すブロック図である。図１に示す情報提供システムは、入力装置１と、引用部分抽出装置２と、関連文書決定装置３と、補足情報生成装置４と、表示装置５とを備える。【００３７】  入力装置１は、例えば、キーボードやマウス等の入力デバイスによって実現され、引用を行っている文書データを入力する。すなわち、入力装置１は、引用部分を含む文書データを入力する。【００３８】  引用部分抽出装置２は、入力装置１が入力した文書データ（以下、入力文書データと表記する場合がある。）から引用部分を抽出する。例えば、引用部分抽出装置２は、ＨＴＭＬ文書のタグ等の引用を明示的に示す記法を解析することにより、入力装置１が入力した入力文書データから引用部分を抽出する。また、引用部分抽出装置２は、例えば、文章表現上の引用を示す表現を解析することにより、引用部分を抽出する。引用部分抽出装置２は、抽出した引用部分を示す情報を、関連文書決定装置３および補足情報生成装置４に出力する。【００３９】  関連文書決定装置３は、入力文書データや引用部分に基づいて、関連文書および関連文書中の引用部分と同一または類似する表記部分を決定する。また、関連文書決定装置３は、決定した関連文書および関連文書中の引用部分と類似または同一の表記部分を示す情報を、補足情報生成装置４に出力する。【００４０】  すなわち、関連文書決定装置３は、入力装置１が入力した入力文書データもしくは引用部分抽出装置２が抽出した引用部分、または入力文書データおよび引用部分を元に、関連文書データを決定する。関連文書決定装置３は、例えば、入力文書データから引用部分についての記載を抽出し、抽出した記載に基づいて、検索対象の文書が関連文書であるか否かを判断する。引用���分についての記載とは、例えば、引用部分の引用元文書を示す情報等である。また、関連文書決定装置３は、関連文書における引用部分についての記載として、引用部分と類似または同一の表記部分を決定する。【００４１】  補足情報抽出装置４は、引用部分と関連文書中の文章に基づいて、関連文書から、引用部分と類似または同一の表記部分を修飾する表現の部分（以下、修飾表現部分と表記する場合がある。）を抽出し、補足情報を生成する。すなわち、補足情報抽出装置４は、引用部分抽出装置２が抽出した引用部分と関連文書決定装置３が決定した関連文書データとを比較し、関連文書中の引用部分と類似または同一の表記部分を修飾する表現を補足情報として抽出する。すなわち、補足情報は、補足情報抽出装置４が抽出した表現を含む情報である。ここで、補足情報として抽出する表現には、テキスト文章や、ＨＴＭＬなどのタグによって示された情報を含む。例えば、ＨＴＭＬ文書内の引用部分が、＜ＤＥＬ＞タグによって削除したことを示してあった場合、＜ＤＥＬ＞タグの情報も補足情報である。【００４２】  表示装置５は、例えば、液晶表示装置や有機ＥＬディスプレイ装置等のディスプレイ装置によって実現され、補足情報を表示する。表示装置５が、例えば、ディスプレイ装置の場合は、補足情報を表す文字列や記号、画像、映像を表示すること、あるいは現在の表示内容に対して、色、書体などを変化させることで補足情報を表示する。【００４３】  なお、情報提供システムは、コンピュータで実現可能であり、情報提供システムを構成する各構成要素、すなわち、引用部分抽出装置２、関連文書決定装置３および補足情報抽出装置４は、コンピュータの処理装置（ＣＰＵ）に上述した機能を実現させるためのプログラムとして実現可能である。情報提供システムを構成する各構成要素がコンピュータで実現可能であること、およびプログラムとして実現可能であることは、第１の実施の形態に限らず、他の実施の形態でも同様である。【００４４】  次に、図面を参照して第１の実施の形態の動作について説明する。図２は、第１の実施の形態における情報提供システムの動作の例を示すフローチャートである。【００４５】  まず、引用部分抽出装置２は、入力装置１から入力文書を入力する。引用部分抽出装置２は、入力文書から、引用を示す働きを持つ引用表現で書かれた部分を抜き出すことにより、引用部分の抽出を行う（ステップＳ１）。図３は、引用表現の例を示す説明図である。図３に示すように、引用表現には、例えば、ＨＴＭＬ文書のq 要素やblockquote要素、括弧で囲まれた文章や、「〜と発言した」「〜と書かれていた」等の引用を節としてとる表現などがある。例えば、引用部分抽出装置２は、図３に示す引用表現を引用部分抽出ルールとして含む設定情報をあらかじめ記憶装置に記憶している。そして、引用部分抽出装置２は、設定情報に示される引用部分抽出ルールに従って引用部分を抽出する。【００４６】  次に、関連文書決定装置３は、引用部分と類似または同一の表現を含む文書を関連文書と決定するための処理を実行し（ステップＳ２）、関連文書があるか否かを判定する（ステップＳ３）。【００４７】  関連文書を決定する方法として、例えば、引用部分��文字列に基づいて同一表現の検索や類似検索をすることにより、検索対象の文書が関連文書であるか調べる方法がある。その場合、入力文書中の引用部分について言及している箇所から、例えば、引用元文書の出典を示す発信者名、発信日時、文書の種類を抽出する。そして、抽出した情報を利用して検索対象の文書を検索し、検索結果を分類することにより文章を絞り込むこともできる。【００４８】  また、入力文書中の引用元を示す表現である引用元指定表現を参照することによって引用元文書を決定することができる。図４は、引用元指定表現の例を示す説明図である。図４に示すように、引用元指定表現は、例えば、ＵＲＬ、会社名、論文名、発信者名、場所、時刻およびこれらの組み合わせを含む表現であって、例えば、「首相の３月１日の記者会見での発言」などの表現がある。また、文字列検索と引用元指定表現の両方を利用することもできる。例えば、入力文書中に「ＵＲＬ」等の文字列が含まれる場合には、関連文書決定装置３は、「ＵＲＬ」以降の文字列を抽出し、抽出した文字列に従ってＷｅｂサイトにアクセスし、引用元文書を収集する。【００４９】  ここで、検索対象の文書は、例えば、インターネット上のＷｅｂページであってもよい。また、データベースに蓄積された文書であってもよい。【００５０】  ステップＳ３において、関連文書があると判断した場合（Ｙｅｓ）、補足情報生成装置４は、引用部分と関連文書とを比較し、関連文書において、引用部分を修飾する表記部分があるか調べ、あればこれを抽出して、補足情報を生成する（ステップＳ４）。補足情報生成装置４は、補足情報があるか否かを判断し（ステップＳ５）、あると判断した場合（Ｙｅｓ）、表示装置５に、補足情報を表示させる（ステップＳ６）。【００５１】  一方、補足情報生成装置４は、ステップＳ３で関連文書がないと判断した場合（Ｎｏ）およびステップＳ５で補足情報がないと判断した場合（Ｎｏ）、表示装置５に、補足情報をまったく表示しないか、補足情報がない旨の表示をさせる（ステップＳ７）。【００５２】  次に、第１の実施の形態の効果について説明する。第１の実施の形態では、引用部分抽出装置２が、引用部分を抽出するように構成されているため、読み手が指定することなく文章の引用部分を取得し、その補足情報を提供することができる。【００５３】  また、関連文書決定装置３が、引用部分と類似または同一の表現を含む文書を関連文書として決定するため、無関係な文書を対象とすることなく、引用部分の表現と関係する文書の情報を補足情報として提供することができる。【００５４】  さらに、補足情報生成装置４が、引用部分と関連文書の情報を比較し、引用部分を修飾する表現から生成した補足情報のみを提供するように構成されているため、読み手に不要な情報を読ませることがなく、また、読み手に適切な量の情報を提供できる。さらに、補足情報のみ表示することで、関連文書全体を表示する場合と比べて表示に必要な領域は小さくなり、現在閲覧中の文書の表示を妨げずに補足情報を提供することができる。【００５５】  第１の実施の形態の変形例として、引用部分抽出装置２において、入力された文書中の引用部分を自動的に抽出する代わりに、人間の読���手により明示的に引用部分を選択させる装置であってもよい。このような構成の場合、読み手の希望する引用部分についてのみ補足情報を表示することで、不要な引用部分に対する補足情報を表示することなく、適切な補足情報を提供することができる。また、文章中の引用表現でも読み手によって適切に選択されるため、関連文書をより正確に決定することができる。【００５６】  引用部分抽出装置２が抽出した引用部分を読み手に提示して、読み手がさらに引用部分の修正を行うことを可能にしてもよい。この場合は、正確に引用部分を抽出できた場合は読み手が操作する必要がなく、修正が必要な場合のみ読み手が正確に引用部分を指定して、適切に関連文書を決定することができる。【００５７】  ここで、関連文書決定装置３は、関連文書を複数検出する場合がある。検出した関連文書の全部が、補足情報を抽出する対象となる関連文書である場合、検出したすべての関連文書から補足情報を生成することができる。各関連文書から抽出された補足情報に対して、どの関連文書から抽出されたのかを示す情報を追加してもよい。【００５８】  第１の実施の形態の変形例として、関連文書決定装置３が関連文書を複数検出する場合に、検出した関連文書から補足情報抽出の対象とする関連文書を制限してもよい。【００５９】  対象関連文書の制限を行う場合、文書に重要度の重み付けを行い、その重みが基準値以上の重みを持つ文書を対象にしてもよい。文書の重要度の重み付けの方法として、例えば、作成日時の新しさ、文書が参照された数、他の文書からの引用回数、発信者の分類、現在参照中の文章との類似度によって重み付けする方法がある。この場合、より重要と考えられる関連文書のみを対象にできるため、重要であると考えられる補足情報のみを提供し、重要でないと考えられる補足情報は表示しないようにすることができる。【００６０】  または、文章の重要度の重みで順位付けを行って、その上位の一定数を対象にしてもよい。この場合、補足情報抽出の対象とする関連文書の量が一定数以上にならないため、補足情報の表示までの処理の負荷が大きくなりすぎることを抑制することができる。また、表示される補足情報の量が多くなりすぎることを抑制することができる。【００６１】  さらに、重要度でもっとも重要な文書１つを対象にしてもよい。この場合は、より補足情報の数が少なく、重要と思われる情報になるため、より閲覧を妨げることなく詳しい補足情報を表示することが可能になる。【００６２】  また、対象関連文書を、引用部分の引用元文書に制限してもよい。ある関連文書を引用元文書であると判断するには、引用部分に引用元指定表現がある場合、引用元指定表現によって示された文書を引用元文書とする方法がある。また、関連文書の作成日時を取得して、作成日時が最も古い文書を引用元の文書であるとみなす方法がある。この構成の場合、引用元文書に含まれている補足情報を表示することで、現在参照している文書で引用した引用部分の本来の情報を読み手は正しく理解できる。【００６３】  また、複数または１つ選択して対象とした関連文書と別に、引用元である関連文書（引用元文書）を対象として、両方から補足情報を生成してもよい。【００６４】実施の形態２．  次に、本発明の第２の実施の形態を図面を参照して説明する。図５は、本発明による情報提供システムの第２の実施の形態の構成例を示すブロック図である。第２の実施の形態は、補足情報生成装置４が限定表現抽出手段４１を有する点で、図１に示す第１の実施の形態と異なる。【００６５】  限定表現抽出手段４１は、関連文書から、引用部分と類似または同一の表現に対して、条件や、訂正、追加情報などの修飾を行っている部分を引用部分に対する限定表現として抽出する。こうした限定表現は、引用部分に隣接した箇所、またはページ末尾、文書末尾、脚注箇所などの文書中の特定箇所に、限定表現であることを示す手がかり表現の存在に着目することで抽出できる。図６は、限定表現の例を示す説明図である。図６に示すように、限定表現には、例えば、「ただし〜」「〜の場合」「〜まで」等の手がかりにより文中に現れる表現や、「全製品３割引き（特価品を除く）」における「（特価品を除く）」部分のように、引用部分の文章に隣接する括弧で囲まれた部分や、「注意〜」「※〜」「訂正：〜」「追加：〜」「補足：〜」等の手がかり表現で導かれる注釈、訂正、追加情報がある。例えば、限定表現抽出手段４１は、図６に示す限定表現を修飾表現部分抽出ルールとして含む設定情報をあらかじめ記憶装置に記憶している。そして、限定表現抽出手段４１は、設定情報に示される修飾表現部分抽出ルールに従って修飾表現部分として限定表現を抽出する。【００６６】  次に、図面を参照して第２の実施の形態の動作について説明する。図７は、第２の実施の形態における情報提供システムの動作の例を示すフローチャートである。図７に示すステップＳ１〜Ｓ３の引用部分抽出、関連文書抽出の動作は、第１の実施の形態と同じであるため、説明を省略する。【００６７】  補足情報生成装置４は、引用部分と関連文書を比較し、関連文書のみに含まれる差分テキストを抽出する（ステップＳ４）。ここで、限定情報抽出手段４１は、差分テキスト中に、限定表現によって引用部分を限定する部分があるか否かを調べる（ステップＳ１１）。ステップＳ１１において、限定情報抽出手段４１は、限定表現によって引用部分を限定する部分があれば、これを抽出して、補足情報を生成する。【００６８】  ステップＳ５〜Ｓ７の補足情報表示の動作は、第１の実施の形態と同じであるため、説明を省略する。【００６９】  次に、第２の実施の形態の効果について説明する。第２の実施の形態では、関連文書中の引用部分を限定表現によって修飾している部分（補足情報）のみを表示することにより、読み手に引用部分について限定した適切な補足情報のみを提示する事ができる。また、引用部分について限定した補足情報のみ表示することにより、限定されていない情報を含む補足情報を表示する場合に比べて、表示に必要な領域が少なくなり、引用先文章の表示を妨げずに補足情報を提供することができる。【００７０】実施の形態３．  次に、本発明の第３の実施の形態を図面を参照して説明する。図８は、本発明による情報提供システムの第３の実施の形態の構成例を示すブロック図である。第３の実施の形態は、補足情報生成装置４が文脈解析手段４２を有する点で、図１に示す第１の実施の���態と異なる。【００７１】  文脈解析手段４２は、関連文書に存在する情報のうち、引用部分と類似または同一の表現を修飾する文脈にある文章またはその一部を修飾表現部分として抽出し、補足情報を生成する。引用部分と類似または同一の表現と修飾関係にある部分は、談話解析技術や照応解析技術を用いることで判定できる。ここで、文脈情報の例として、係り受け関係や代名詞による参照関係が挙げられる。例えば、引用部分で言及されている人物が後の文章で代名詞によって参照された場合は、照応解析技術によって、その代名詞の人物が引用部分の人物であると判定することにより、後の文章で内容は引用部分を修飾する文脈にあると判断できる。具体的には、引用部分が「ゴア氏は環境問題のシンポジウムで講演を行った。」であるときに、後の文章で「彼はクリントン政権下で副大統領だった。」とあれば、後の文章の代名詞「彼」が引用部分の「ゴア氏」を指すことを判定し、後の文章が引用部分を補足する情報があると判断できる。【００７２】  次に、図面を参照して第３の実施の形態の動作について説明する。図９は、第３の実施の形態における情報提供システムの動作の例を示すフローチャートである。図９に示すステップＳ１〜Ｓ３の引用部分抽出、関連文書抽出の動作は、第１の実施の形態と同じであるため、説明を省略する。【００７３】  補足情報生成装置４は、引用部分と関連文書を比較し、関連文書のみに含まれる差分テキストを抽出する（ステップＳ４）。ここで、文脈解析手段４２は、差分テキストの文脈解析を行うことによって、引用部分と類似または同一の表現を修飾する文脈の表現があるか否かを調べる（ステップＳ２１）。ステップＳ２１において、文脈解析手段４２は、引用部分と類似または同一の表現を修飾する文脈の表現があれば、これを抽出して、補足情報を生成する。【００７４】  ステップＳ５〜Ｓ７の補足情報表示の動作は、第１の実施の形態と同じであるため、説明を省略する。【００７５】  次に、第３の実施の形態の効果について説明する。第３の実施の形態では、文脈解析によって、引用部分を修飾する文脈にある文章または文章の一部が補足情報として抽出されるため、より適切な補足情報のみを読み手に提示することができる。また、文脈上、引用部分と関係しない部分を表示する場合に比べて、表示に必要な面積が小さくなり、閲覧中の文章の表示を妨げずに補足情報を提供することができる。【００７６】  第３の実施の形態の変形例として、文脈情報の抽出を、引用部分の前後の数文、あるいは引用部分を含む段落までに範囲を限定すると、関連文書中の引用部分から離れた箇所にある情報が補足情報として採用されなくなる。そのため、関連性の薄い情報を減少させることができる。また、文脈解析にかかる時間を減少させ、補足情報の出力を高速に行うことができる。【００７７】  なお、第２の実施の形態の限定表現抽出手段４１と、第３の実施の形態の文脈解析手段４２とを同時に適用し、それぞれの手段で抽出された補足情報を出力してもよい。
【実施例１】
【００７８】  次に、第１〜第３の実施の形態の実施例について説明する。図１０は、第１の実施例の情報提供システムの構成例を示すブロック図である。図１０に示す情報提供システムは、ネットワーク制御装置１００と、パーソナルコンピュータ２００と、ディスプレイ装置３００とを備える。【００７９】  まず、第１の実施の形態の実施例について説明する。ネットワーク制御装置１００は、インターネット４００に接続される。ネットワーク制御装置１００は、図１に示す入力装置１としてインターネット４００を介してＷｅｂページを入力文書データとして入力し、引用部分抽出装置２に出力する。パーソナルコンピュータ２００は、図１に示す引用部分抽出装置２と、関連文書決定装置３と、補足情報生成装置４とを含む。ディスプレイ装置３００は、図１に示す表示装置５として補足情報を表示する。【００８０】  次に、第１の実施例における情報提供システムの動作について説明する。ネットワーク制御装置１００は、インターネット４００を介して、Ｗｅｂページを入力文書データとして入力する。図１１は、入力文書データとして入力したＷｅｂページの例を示す説明図である。図１１（ａ）には、引用部分「通話料無料」が含まれるＷｅｂページの表示例を示す。また、図１１（ｂ）には、blockquote要素による引用部分「通話料無料」が含まれるＨＴＭＬファイルの例を示す。ネットワーク制御装置１００は、入力したＷｅｂページをパーソナルコンピュータ２００の引用部分抽出装置２に出力する。【００８１】  引用部分抽出装置２は、入力したＷｅｂページからblockquote要素を検出し、引用部分を抽出する。図１１に示す例では、引用部分として「通話料無料」が抽出される。【００８２】  関連文書決定装置３は、blockquote要素の直前に記述された企業名「ＸＸＸ社」、発信日「１１／１」および文書名「ニュースリリース」を抽出し、抽出した文字列と引用部分の文字列を検索語としてインターネット上のＷｅｂページを検索する。そして、関連文書決定装置３は、検索した結果から複数の関連文書を決定する。ここで、関連文書の中で、引用元文書のみをほかの関連文書とは別に扱ってもよい。【００８３】  ここでは、企業名、発信日および文書名の各情報に基づいて、引用元文書として引用元のＷｅｂページ（以下、引用元Ｗｅｂページと表記する場合がある。）を決定することができたとする。図１２は、引用元文書として決定されたＷｅｂページの例を示す説明図である。関連文書決定装置３は、引用元Ｗｅｂページにおいて、引用部分と同じ文字列を検索し、引用位置を特定する。【００８４】  例えば、図１１を参照すると、引用部分は「通話料無料」である。したがって、関連文書決定装置３は、文字列「通話料無料」に基づいて、図１２に示す引用元文書を検索する。図１２には、引用元文書に引用部分文字列「通話料無料」が含まれている場合を例示する。【００８５】  補足情報生成装置４は、引用部分抽出装置２から入力Ｗｅｂページの引用部分文字列を受け取り、関連文書決定装置３から引用元Ｗｅｂページおよび引用元Ｗｅｂページ中の引用位置を示す情報を受け取る。そして、補足情報生成装置４は、引用部分と引用元Ｗｅｂページの文章に基づいて、引用元Ｗｅｂペー��から、引用部分を修飾している情報を補足情報として抽出する。【００８６】  次に、第２の実施の形態の実施例について説明する。第２の実施の形態では、限定表現抽出手段４１は、引用元Ｗｅｂページ中の引用部分を限定表現によって修飾している部分として、引用部分に制限を加える限定表現「〜では」を含む「新料金プランでは」と、限定表現「〜場合」を含む「ＸＸＸ社の携帯電話にかけた場合」と、注釈の存在を示す限定表現「※１」から「２１時から２３時は３０秒２０円の通話料がかかります。」とを補足情報として抽出する（図１２参照。）。【００８７】  次に、第３の実施の形態の実施例について説明する。第３の実施の形態では、文脈解析手段４２は、引用部分と同一の文内で係り受け関係により引用部分を修飾している部分として、「新料金プランでは、ＸＸＸ社の携帯電話にかけた場合」と、引用部分と並列に「新料金プラン」の説明をしている「また、メールも無料です」とを補足情報として抽出する（図１２参照。）。【００８８】  引用元文書のほかに関連文書を取得できた場合にも補足情報を取得できる。図１３は、関連文書として決定されたＷｅｂページの例を示す説明図である。関連文書決定装置３は、関連文書において、引用部分「通話料無料」を文字列検索により決定する。【００８９】  図１３を参照すると、補足情報生成装置４は、引用部分を指す参照関係「以下の様に」を含む「先日発表になったＸＸＸ社の新料金プランでは以下の様にうたって宣伝していた」を補足情報として抽出する。また、接続詞「しかし」で接続している「公正取引委員会から誇大広告であると警告を受けることになった」を補足情報として抽出する。さらに、限定表現である「追記」を含む「１１／１０追記：後日競合するＹＹＹ社、ＺＺＺ社も指摘を受けることになった」を補足情報として抽出する。【００９０】  ここで、関連文書決定装置３は、関連文書において引用部分の類似表現をさらに検索し、補足情報生成装置４は、検索された類似表現についての補足情報を引用部分に対する補足情報として抽出してもよい。図１３に示す例では、関連文書決定装置３は、引用部分「通話料無料」に対する類似表現として「通話料が無料になる」を取得し、補足情報生成装置４は、類似表現についての補足情報である「条件はＸＸＸ社同士の通話で、指定時間内に限られると言うことらしい」を抽出する。【００９１】  ディスプレイ装置３００は、引用元の補足情報を取得すると、取得した補足情報を表示する。補足情報の表示において、ディスプレイ装置３００は、補足情報である関連文書上の文章をそのまま表示してよい。その場合、読み手は、関連文書での実際の文章を確認することができる。【００９２】  また、関連文書における補足情報部分の表現を変更して読みやすい表現に修正してもよい。例えば、代名詞を補ったり、不要な表現を削除したり、文節で抜き出した補足情報を文の形に直したり、複数文にわたる補足情報や同一内容の補足情報を要約したり、外国語で書かれた補足情報を翻訳したりすることができる。その場合、読み手にとって、補足情報の理解が容易になる。【００９３】  また、表示される情報が、補足情報を表す文章そのものではなく、補足情報の有無や、抽出し���表現の内容の一部または特徴を示す代替表示（代替情報）であってもよい。代替表示の内容には、例えば、補足情報の有無、限定表現、引用時や前回参照時からの更新情報の有無、内容の種別が含まれる。代替表示の表現方法は、文字列やアイコンの表示、または引用部分自体の字体の変更や色の変更でもよい。代替表示には詳細な補足情報の表示機能があってもよい。また、代替表示に関連文書の補足情報を示す該当箇所へのリンク機能があってもよい。【００９４】  例えば、引用元文書や関連文書に、図１２に例示する限定表現「〜の場合」がある場合には、限定表現があることを示す「限定」「限」等の文字列や、この文字列を図案化したものにより、限定表現の有無を示すことができる。また、例えば、図１３に例示する限定表現「１１／１０追記：後日競合するＹＹＹ社、ＺＺＺ社も指摘を受けることになった」のような更新された補足情報がある場合には、「更新」「Update」「New 」などの文字列や、この文字列を図案化したもの、さらに更新日時を示す文字列「１１／１０」等によって、更新された補足情報の有無を示すことができる。【００９５】  このように、補足情報の有無やその種別についての情報を表示することによって、補足情報をそのまま表示するよりもさらに表示が簡潔になり、閲覧中の文書の表示を妨げない表示が可能になる。読み手が補足情報がある引用部分のみを選択して、詳細な補足情報や関連文書を確認することができる。これは閲覧中の文書中に引用部分が多い場合にさらに有用である。【００９６】  補足情報の表示位置として、例えば、入力Ｗｅｂページ上の、引用部分の直前の位置、直後の位置、引用部分を含む行の直前の位置、直後の位置、左右の余白位置等に補足情報を挿入して表示してもよい。また、別の画面上の表示領域に表示してもよい。また、別のウィンドウ上に表示してもよい。【００９７】  さらに、表示するタイミングは、入力Ｗｅｂページの表示と同時でもよい。この場合、読み手は、あらかじめ補足情報を含む補足されたＷｅｂページを閲覧することができる。また、読み手が引用部分を指示した時点で補足情報を表示してもよい。引用部分を指示するには、例えば、カーソルを近づけることで可能である。この場合、入力Ｗｅｂページの閲覧を妨げることなく、読み手が引用部分の補足情報を希望した場合にのみ補足情報を表示することができる。
【実施例２】
【００９８】  次に、第２の実施の形態の実施例について説明する。図１４は、第２の実施例の情報提供システムの構成例を示すブロック図である。図１４に示す情報提供システムは、音声収録装置６００と、パーソナルコンピュータ２００と、ディスプレイ装置３００とを備える。【００９９】  音声収録装置６００は、例えば、会議室に設置される。音声収録装置６００は、マイクロフォン６０１と、音声認識装置６０２と、発言データベース６０３とを含み、図１に示す入力装置１として動作する。マイクロフォン６０１は、音声入力装置であって、会議の発言の音声を入力して電気信号に変換し、音声認識装置６０２に出力する。音声認識装置６０２は、マイクロフォン６０１によって出力された電気信号を音声認識処理を行うことによってテキストデータに変換し、入力文書データとして発言データベース６０３に記憶させる。また、発言データベース６０３は、例えば、過去の会議の発言についてのテキストデータを、関連文書データの検索対象となる文書データとして記憶する。【０１００】  パーソナルコンピュータ２００は、図１に示す引用部分抽出装置２と、関連文書決定装置３と、補足情報生成装置４とを含む。ディスプレイ装置３００は、図１に示す表示装置５として補足情報を表示する。【０１０１】  次に、第２の実施例における情報提供システムの動作について説明する。図１５は、第２の実施例における情報提供システムの動作の例について説明するための説明図である。マイクロフォン６０１は、発言を入力し（ステップＳ３１）、音声認識装置６０２は、音声認識処理を行い（ステップＳ３２）、テキストデータに変換する（ステップＳ３３）。以下、音声認識装置６０２がテキストデータに変換した発言が「Ａさんは前回の会議で『プランＸにしましょう』と言いましたよ」である場合を例にして説明する。【０１０２】  ここで、『プランＸにしましょう』が引用部分である。すなわち、引用部分抽出装置２は、発言の文章構造を解析し、引用部分『プランＸにしましょう』を抽出する（ステップＳ３４）。関連文書決定装置３は、発言者として「Ａさん」を抽出し、発言日時として「前回の会議」を抽出する（ステップＳ３５）。そして、関連文書決定装置３は、抽出した文字列と引用部分文字列とを検索語として発言データベース６０３を検索し（ステップＳ３６）、例えば、類似する表現を含む発言データ「３月末が締め切りなので、プランＸを進めることにしましょう。」を抽出する（ステップＳ３７）。また、関連文書決定装置３は、引用部分に類似する表記部分として「プランＸを進めることにしましょう」を決定する。【０１０３】  補足情報生成装置４は、発言データから、引用部分に類似する表記部分を限定表現「ので」で修飾している部分として、理由の表現「３月末が締め切りなので」を抽出し、補足情報として、「３月末が締め切り」という“理由”を示す補足情報を生成する（ステップＳ３８）。【０１０４】  図１６は、表示画面の例を示す説明図である。表示装置５として動作するディスプレイ装置３００は、例えば、補足情報が生成された発言のテキストと、補足情報の種類として「理由」が表示されたボタンとを表示する（図１６参照。）。例えば、発言に���応付けて設けられたボタンが押下されると、ディスプレイ装置３００は、ボタンに対応する発言の補足情報を表示する（図１６参照。）。例えば、会議参加者が、Ａさんが前回の会議で『プランＸにしましょう』という旨の発言をした理由を知りたい場合、例えば、ボタンを押下して補足情報の詳細を表示させることにより、「３月末が締め切り」であるからだとわかる。【０１０５】  ここで、入力（すなわち、引用部分を含む入力文書データ）は、映像による入力を音声認識でテキストにしたものであってもよい。また、発言データベース６０３に蓄積したデータが音声データであってもよく、関連文書の決定を、発言者や日時の指定等の情報によって行い、音声認識を行うのは補足情報を生成する時点に限定してもよい。この場合、現在行われている会議について引用した場合など、音声認識を行う時間がない場合に利用することが容易になる。【０１０６】  また、引用部分に基づいて関連文書を決定する際に、最初に同一の表現を含む関連文書を検索し、検索されなかった場合に、類似する表現を含む関連文書を検索してもよい。類似表現には、例えば、表記のゆれや、類義語の入れ替えや、文節の順序の変更等を含む。さらに見つからなければ、より広範囲の表現を類似表現の対象とするようにしてもよい。この構成の場合、引用が正確でない場合により関連文書を適切に決定できるようになる。また、同一表現が見つからなかった段階で、さらに類似表現を対象とするか利用者に問い合わせてもよい。
【産業上の利用可能性】
【０１０７】  本発明によれば、Ｗｅｂ上の文章に含まれる引用部分から、関連文書に含まれる補足情報を確認する等の用途に適用できる。また、新聞等の取材記事中の発言箇所から、元のインタビューの録音、録画映像中の元の発言の意図を確認して記事の信頼性を確認する等の用途にも適用可能である。  本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。
【図１】
2008126862.tif 000003
【図２】
2008126862.tif 000004
【図３】
2008126862.tif 000005
【図４】
2008126862.tif 000006
【図５】
2008126862.tif 000007
【図６】
2008126862.tif 000008
【図７】
2008126862.tif 000009
【図８】
2008126862.tif 000010
【図９】
2008126862.tif 000011
【図１０】
2008126862.tif 000012
【図１１】
2008126862.tif 000013
【図１２】
2008126862.tif 000014
【図１３】
2008126862.tif 000015
【図１４】
2008126862.tif 000016
【図１５】
2008126862.tif 000017
【図１６】
2008126862.tif 000018
【手続補正書】
【提出日】平成21年2月10日(2009.2.10)
【手続補正１】
【補正対象書類名】特許請求の範囲
【補正対象項目名】全文
【補正方法】変更
【補正の内容】
【特許請求の範囲】
【請求項１】
文書データにおける引用部分に基づいて、引用部分と同一または類似の表現を含む関連文書データを１つ以上決定する関連文書決定手段と、
前記関連文書決定手段が決定した関連文書データから、前記引用部分と同一または類似の表現に対して、条件、訂正、追加、注釈のいずれかに該当する表現を抽出する限定表現抽出手段と、
前記限定表現抽出手段が抽出した表現または該表現に関する情報を、表示するための情報として生成する情報生成手段と、
前記情報生成手段が生成した情報を表示する表示手段と
を備えたことを特徴とする情報提供システム。
【請求項２】
（削除）
【請求項３】
（削除）
【請求項４】
前記情報生成手段は、前記限定表現抽出手段が抽出した表現の有無を示す情報または前記限定表現抽出手段が抽出した表現の内容の一部もしくは特徴を示す代替情報を生成する請求項１記載の情報提供システム。
【請求項５】
（削除）
【請求項６】
（削除）
【請求項７】
文書データにおける引用部分に基づいて、引用部分と同一または類似の表現を含む関連文書データを１つ以上決定する関連文書決定ステップと、
前記関連文書決定ステップにて決定した関連文書データから、前記引用部分と同一または類似の表現に対して、条件、訂正、追加、注釈のいずれかに該当する表現を抽出する限定表現抽出ステップと、
前記限定表現抽出ステップにて抽出した表現または該表現に関する情報を、表示するための情報として生成する情報生成ステップと、
前記情報生成ステップで生成した情報を表示する表示ステップと
を含むことを特徴とする情報提供方法。
【請求項８】
（削除）
【請求項９】
（削除）
【請求項１０】
前記情報生成ステップで、前記限定表現抽出ステップで抽出した表現の有無を示す情報または前記限定表現抽出ステップで抽出した表現の内容の一部もしくは特徴を示す代替情報を生成する請求項７記載の情報提供方法。
【請求項１１】
（削除）
【請求項１２】
（削除）
【請求項１３】
コンピュータに、
文書データにおける引用部分に基づいて、引用部分と同一または類似の表現を含む関連文書データを１つ以上決定する関連文書決定処理と、
前記関連文書決定処理にて決定した関連文書データから、前記引用部分と同一または類似の表現に対して、条件、訂正、追加、注釈のいずれかに該当する表現を抽出する限定表現抽出処理と、
前記限定表現抽出処理にて抽出した表現または該表現に関する情報を、表示するための情報として生成する情報生成処理と、
前記情報生成処理で生成した情報を表示する表示処理と
を実行させるための情報提供プログラム。
【請求項１４】
（削除）
【請求項１５】
（削除）
【請求項１６】
前記コンピュータに、
前記情報生成処理で、前記限定表現抽出処理で抽出した表現の有無を示す情報または前記限定表現抽出処理で抽出した表現の内容の一部もしくは特徴を示す代替情報を生成する処理を実行させる
請求項１３記載の情報提供プログラム。
【請求項１７】
（削除）
【請求項１８】
（削除）
【請求項１９】
前記限定表現抽出手段に代えて、
前記関連文書決定手段が決定した関連文書データから、前記引用部分と同一または類似の表現に対して、代名詞を用いて間接的に修飾または補足している表現を抽出する文脈解析手段を備え、
前記情報生成手段は、前記文脈解析手段が抽出した表現または該表現に関する情報を、表示するための情報として生成する請求項１記載の情報提供システム。
【請求項２０】
前記情報生成手段は、前記文脈解析手段が抽出した表現の有無を示す情報または前記文脈解析手段が抽出した表現の内容の一部もしくは特徴を示す代替情報を生成する請求項１９記載の情報提供システム。
【請求項２１】
前記限定表現抽出ステップに代えて、
前記関連文書決定手段が決定した関連文書データから、前記引用部分と同一または類似の表現に対して、代名詞を用いて間接的に修飾または補足している表現を抽出する文脈解析ステップを含み、
前記情報生成ステップで、前記文脈解析手段が抽出した表現または該表現に関する情報を、表示するための情報として生成する請求項７記載の情報提供方法。
【請求項２２】
前記情報生成ステップで、前記文脈解析ステップで抽出した表現の有無を示す情報または前記文脈解析ステップで抽出した表現の内容の一部もしくは特徴を示す代替情報を生成する請求項２１記載の情報提供方法。
【請求項２３】
前記限定表現抽出処理に代えて、前記コンピュータに、
前記関連文書決定手段が決定した関連文書データから、前記引用部分と同一または類似の表現に対して、代名詞を用いて間接的に修飾または補足している表現を抽出する文脈解析処理を実行させ、
前記情報生成処理で、前記文脈解析手段が抽出した表現または該表現に関する情報を、表示するための情報として生成させる請求項１３記載の情報提供プログラム。
【請求項２４】
前記情報生成処理で、前記文脈解析処理で抽出した表現の有無を示す情報または前記文脈解析処理で抽出した表現の内容の一部もしくは特徴を示す代替情報を生成する請求項２３記載の情報提供プログラム。
【国際調査報告】
2008126862.tif 000019
2008126862.tif 000020